(57)【要約】【課題】  水処理装置のフィルタ芯感応制御装置の提供。【解決手段】  フィルタ芯にＩＣメモリチップが設けられ、特別なパスワード及びその他の情報が記載され、水処理濾過設備に制御装置が設けられ、チップ内の情報の読み取りと情報の更新を行ない、フィルタ芯が終始最新の仕様状況データに保持され、消費者に交換すべきか否かの情報を影響し、並びに原メーカーでないフィルタ芯の該水処理濾過設備への取り付けを防止し、消費者と業者の権益を保護し、模造防止の機能を提供する。【選択図】        図１
2005324157.tif 000002
【特許請求の範囲】
【請求項１】
水処理装置のフィルタ芯感応制御装置において、水処理濾過設備に取り付けられて水の濾過機能を具えたフィルタ芯を具え、該フィルタ芯に電気的消去再書き込み可能なメモリチップが設けられ、並びにチップ内に特別なパスワード及び累計使用時間数が記載され、水処理濾過設備に制御装置が設けられ、該制御装置がチップ内の累計使用時間数を読み取り並びにフィルタ芯の余剰使用時間数を随時チップ上で更新し、並びにチップ上のパスワードを読み取り、設定されたフィルタ芯であるかを判断して水処理濾過設備の判断に供すると共にフィルタ芯を交換すべきか否かを通知或いは警告し、フィルタ芯の模造品防止機能も具えたことを特徴とする、水処理装置のフィルタ芯感応制御装置。
【請求項２】
請求項１記載の水処理装置のフィルタ芯感応制御装置において、チップ上の信号と制御装置中の信号が無線方式で伝送されることを特徴とする、水処理装置のフィルタ芯感応制御装置。
【請求項３】
請求項１記載の水処理装置のフィルタ芯感応制御装置において、チップ上の信号を有線信号で制御装置に伝送するための接点が設けられたことを特徴とする、水処理装置のフィルタ芯感応制御装置。
【請求項４】
請求項２記載の水処理装置のフィルタ芯感応制御装置において、感応カードを更に具え、該感応カードが特殊チップとアンテナコイルで組成され、制御装置中に設けられたカードリーダーと組み合わされ、カードリーダーがＲＦ信号を感応カードに発射し、感応カードがアンテナコイルを通してこのＲＦ信号を受信し、並びにエネルギー再生により極めて微弱な電力を生成して感応カード上の特殊チップを駆動し、この特殊チップが一組の特殊なデジタルコードをＲＦ信号でカードリーダーに送り、カードリーダーがアンテナで感応カードの信号を受け取り並びにそれをデコードして感応カードのカードコードを識別することを特徴とする、水処理装置のフィルタ芯感応制御装置。
【請求項５】
水処理装置のフィルタ芯感応制御装置において、
水処理濾過設備の運転をメインコントロールする制御装置と、
水処理濾過設備の総運転累計時間数及び一回の運転の時間数を表示する表示装置と、
検出設備の起動と停止を検出する検出装置と、
フィルタ芯と、
該フィルタ芯に位置し、内部に特別な識別コードと該フィルタ芯の累計使用時間数を記録するチップと、
フィルタ芯の使用時間数を測定し、測定した使用時間数データを制御装置及びフィルタ芯のチップに伝送し、チップが使用時間数を累計して総運転累計時間数とする、タイマーと、
を具え、フィルタ芯が水処理濾過設備に取り付けられる時、制御装置がチップ上の識別コードを読み取り、フィルタ芯が原メーカーのフィルタ芯であるかを判断し、原メーカーのフィルタ芯であればフィルタ芯の濾過機能を駆動し、原メーカーのフィルタ芯でなければ水処理濾過設備の使用を停止し、原メーカーのフィルタ芯であれば、制御装置は更にチップ内の累計使用時間数を読み取り、該フィルタ芯が使用済みであるか或いは実際の使用時間を判断し、これによりフィルタ芯が使用期限内にあるかを判断し、使用期限内になければフィルタ芯を駆動せず、使用期間内であれば設備を駆動して飲用水を濾過し、またタイマーにより使用時間を計算し、使用時間を制御装置に入力することを特徴とする、水処理装置のフィルタ芯感応制御装置。
【請求項６】
請求項５記載の水処理装置のフィルタ芯感応制御装置において、チップ上の信号と制御装置中の信号が無線方式で伝送されることを特徴とする、水処理装置のフィルタ芯感応制御装置。
【請求項７】
請求項５記載の水処理装置のフィルタ芯感応制御装置において、チップ上の信号を有線信号で制御装置に伝送するための接点が設けられたことを特徴とする、水処理装置のフィルタ芯感応制御装置。
【請求項８】
請求項７記載の水処理装置のフィルタ芯感応制御装置において、感応カードを更に具え、該感応カードが特殊チップとアンテナコイルで組成され、制御装置中に設けられたカードリーダーと組み合わされ、カードリーダーがＲＦ信号を感応カードに発射し、感応カードがアンテナコイルを通してこのＲＦ信号を受信し、並びにエネルギー再生により極めて微弱な電力を生成して感応カード上の特殊チップを駆動し、この特殊チップが一組の特殊なデジタルコードをＲＦ信号でカードリーダーに送り、カードリーダーがアンテナで感応カードの信号を受け取り並びにそれをデコードして感応カードのカードコードを識別することを特徴とする、水処理装置のフィルタ芯感応制御装置。
【発明の詳細な説明】
【技術分野】
【０００１】
本発明はフィルタ芯にＩＣメモリチップが設けられて、フィルタ芯が水処理装置中に取り付けられる時、使用者が、フィルタ芯が原メーカー製であるか及び残りの使用寿命の情報を知ることができるよう形成された、水処理装置のフィルタ芯感応制御装置に関する。
【背景技術】
【０００２】
個人の水の飲用に対する要求は一致しないが、毎日必要であることに変わりない。しかし、毎日飲用する水が綺麗で衛生的であるかというと、環境汚染が悪化し、水源汚染の問題が日々厳重となる今日にあって、水は多くの経路を通るうちに汚染されて各種の潜在的危険を発生しうる。汚染物には水の味や臭いに影響を与えるものもあるが、外観上や味になんら異常も示さないが人体の健康に脅威を形成するものもある。
【０００３】
水は一般家庭に運送され使用される前に、浄水場で完全処理される。しかし、水道水は長距離の水道管で運送される過程に、或いは貯水設備（例えば屋上の貯水タワー（中で保存される時に二次汚染されうる。飲用水の綺麗さと安全性を維持するため、市場で使用されている浄水設備の技術はそれぞれに異なり、例えば紫外線殺菌法、オゾン殺菌法、活性炭濾過法、イオン交換法、蒸留法、Ｒ．Ｏ．逆浸透法及び電気分解法等があり、各メーカーが自己の製品が健康によい水を生成できるとしている。しかし消費者は専門家ではないため実際には商品間の優劣を判断できず、価格が消費者の選択時の重要な参考指標の一つとなっている。
【０００４】
しかし、どのような濾水設備であってもフィルタ芯は不可欠の重要な配備であり、且つフィルタ芯の優劣が水の濾過品質の善し悪しを決定する。特に優れた品質のフィルタ芯は価格が高く、悪徳業者は原メーカーのフィルタ芯を模造した低品質の模造フィルタ芯を販売し、消費者が事情を知らずに購入すると、消費者及び業者の損失を形成するほか、濾過の品質に影響が生じ、更には濾過設備の寿命を短縮させたり濾過設備を損壊させうる。
【０００５】
また、各フィルタ芯には一定の使用期限があり、消費者は交換の時機を忘れて続けて使用し、濾過の効率と品質が大幅に低くなることがある。ゆえに業者は定期的に消費者にフィルタ芯交換を通知するほか、設備にタイマーを設置してフィルタ芯の使用時間を計算し、直接業者が消費者に報告して交換を促す。しかしこのようなタイマー装置は、フィルタ芯が原メーカーのフィルタ芯であるかを判断できず、またフィルタ芯をある時間使用した後に、それを抜き取って再度取り付けた場合、濾過設備はそのフィルタ芯の既に使用された時間を知ることができず、タイマー装置は僅かに計時をリセットするだけである。特に、異なるフィルタ芯に取り替えた時、例え原メーカーの製品であったとしても、フィルタ芯の使用済みの時間を知ることはできず、フィルタ芯の有効性を掌握できない。
【発明の開示】
【発明が解決しようとする課題】
【０００６】
周知の水処理濾過設備の欠点を改善するため、本発明は水処理濾過設備に制御装置を設け、フィルタ芯にＩＣメモリチップを設け、フィルタ芯の使用済み時間をチップに記載保存し、並びに第２装置の判断と検出を組み合わせ、各フィルタ芯に終始最新の使用状況データを保持させ、更に消費者に交換を促すようにする。
【０００７】
次に、上述のフィルタ芯のＩＣメモリチップは特別なパスワードを記載できるものとし、水処理濾過設備の制御装置によるフィルタ芯が原メーカーのフィルタ芯であるかの判断に供する。ゆえに本発明は暗号化による模造品の使用を防止し、使用者が品質保証を得られるようにする。
【課題を解決するための手段】
【０００８】
請求項１の発明は、水処理装置のフィルタ芯感応制御装置において、水処理濾過設備に取り付けられて水の濾過機能を具えたフィルタ芯を具え、該フィルタ芯に電気的消去再書き込み可能なメモリチップが設けられ、並びにチップ内に特別なパスワード及び累計使用時間数が記載され、水処理濾過設備に制御装置が設けられ、該制御装置がチップ内の累計使用時間数を読み取り並びにフィルタ芯の余剰使用時間数を随時チップ上で更新し、並びにチップ上のパスワードを読み取り、設定されたフィルタ芯であるかを判断して水処理濾過設備の判断に供すると共にフィルタ芯を交換すべきか否かを通知或いは警告し、フィルタ芯の模造品防止機能も具えたことを特徴とする、水処理装置のフィルタ芯感応制御装置としている。
請求項２の発明は、請求項１記載の水処理装置のフィルタ芯感応制御装置において、チップ上の信号と制御装置中の信号が無線方式で伝送されることを特徴とする、水処理装置のフィルタ芯感応制御装置としている。
請求項３の発明は、請求項１記載の水処理装置のフィルタ芯感応制御装置において、チップ上の信号を有線信号で制御装置に伝送するための接点が設けられたことを特徴とする、水処理装置のフィルタ芯感応制御装置としている。
請求項４の発明は、請求項２記載の水処理装置のフィルタ芯感応制御装置において、感応カードを更に具え、該感応カードが特殊チップとアンテナコイルで組成され、制御装置中に設けられたカードリーダーと組み合わされ、カードリーダーがＲＦ信号を感応カードに発射し、感応カードがアンテナコイルを通してこのＲＦ信号を受信し、並びにエネルギー再生により極めて微弱な電力を生成して感応カード上の特殊チップを駆動し、この特殊チップが一組の特殊なデジタルコードをＲＦ信号でカードリーダーに送り、カードリーダーがアンテナで感応カードの信号を受け取り並びにそれをデコードして感応カードのカードコードを識別することを特徴とする、水処理装置のフィルタ芯感応制御装置としている。
請求項５の発明は、水処理装置のフィルタ芯感応制御装置において、
水処理濾過設備の運転をメインコントロールする制御装置と、
水処理濾過設備の総運転累計時間数及び一回の運転の時間数を表示する表示装置と、
検出設備の起動と停止を検出する検出装置と、
フィルタ芯と、
該フィルタ芯に位置し、内部に特別な識別コードと該フィルタ芯の累計使用時間数を記録するチップと、
フィルタ芯の使用時間数を測定し、測定した使用時間数データを制御装置及びフィルタ芯のチップに伝送し、チップが使用時間数を累計して総運転累計時間数とする、タイマーと、
を具え、フィルタ芯が水処理濾過設備に取り付けられる時、制御装置がチップ上の識別コードを読み取り、フィルタ芯が原メーカーのフィルタ芯であるかを判断し、原メーカーのフィルタ芯であればフィルタ芯の濾過機能を駆動し、原メーカーのフィルタ芯でなければ水処理濾過設備の使用を停止し、原メーカーのフィルタ芯であれば、制御装置は更にチップ内の累計使用時間数を読み取り、該フィルタ芯が使用済みであるか或いは実際の使用時間を判断し、これによりフィルタ芯が使用期限内にあるかを判断し、使用期限内になければフィルタ芯を駆動せず、使用期間内であれば設備を駆動して飲用水を濾過し、またタイマーにより使用時間を計算し、使用時間を制御装置に入力することを特徴とする、水処理装置のフィルタ芯感応制御装置としている。
請求項６の発明は、請求項５記載の水処理装置のフィルタ芯感応制御装置において、チップ上の信号と制御装置中の信号が無線方式で伝送されることを特徴とする、水処理装置のフィルタ芯感応制御装置としている。
請求項７の発明は、請求項５記載の水処理装置のフィルタ芯感応制御装置において、チップ上の信号を有線信号で制御装置に伝送するための接点が設けられたことを特徴とする、水処理装置のフィルタ芯感応制御装置としている。
請求項８の発明は、請求項７記載の水処理装置のフィルタ芯感応制御装置において、感応カードを更に具え、該感応カードが特殊チップとアンテナコイルで組成され、制御装置中に設けられたカードリーダーと組み合わされ、カードリーダーがＲＦ信号を感応カードに発射し、感応カードがアンテナコイルを通してこのＲＦ信号を受信し、並びにエネルギー再生により極めて微弱な電力を生成して感応カード上の特殊チップを駆動し、この特殊チップが一組の特殊なデジタルコードをＲＦ信号でカードリーダーに送り、カードリーダーがアンテナで感応カードの信号を受け取り並びにそれをデコードして感応カードのカードコードを識別することを特徴とする、水処理装置のフィルタ芯感応制御装置としている。
【発明の効果】
【０００９】
本発明の水処理装置のフィルタ芯感応制御装置は、フィルタ芯にＩＣメモリチップが設けられ、特別なパスワード及びその他の情報が記載され、水処理濾過設備に制御装置が設けられ、チップ内の情報の読み取りと情報の更新を行ない、フィルタ芯が終始最新の仕様状況データに保持され、消費者に交換すべきか否かの情報を影響し、並びに原メーカーでないフィルタ芯の該水処理濾過設備への取り付けを防止し、消費者と業者の権益を保護し、模造防止の機能を提供する。
【発明を実施するための最良の形態】
【００１０】
図１及び図２に示されるように、本発明によると、水処理濾過設備に制御装置２１、表示装置２２、検出装置２３、及びタイマー２５が設けられ、該制御装置２１は全体の水処理濾過設備の運転をメインコントロールし、表示装置２２は水処理濾過設備の総運転累計時間数及び一回の運転の時間数を表示し、検出装置２３は設備の起動と停止を検出し、タイマー２５はフィルタの使用時間数を測量する。
【００１１】
設備のフィルタ芯１設置部分にはＩＣチップ１１と接点２４が設けられ、該接点２４はＩＣチップ１１の信号を制御装置２１に送る。
【００１２】
該フィルタ芯１の相互に対応すある部分に、記憶及び重複抹消可能なＩＣチップ１１が設けられ、フィルタ芯１に取り付けられたＩＣチップ１１内に特別な識別コード３１とフィルタ芯の総運転累計時間数１２が記載され、タイマー２５の測定した使用時間数データは制御装置２１とフィルタ芯のＩＣチップ１１に送られ、該ＩＣチップ１１が使用時間数を累加して総運転累計時間数１２となす。
【００１３】
フィルタ芯１が水処理濾過設備に取り付けられる時、フィルタ芯１に取り付けられたＩＣチップ１１は接点２４と接続される。ゆえに、フィルタ芯１が水処理濾過設備に取り付けられる時、水処理濾過設備の制御装置２１が先ずＩＣチップ１１の識別コード３１を読み取り、並びに該識別コード３１が制御装置２１中の設定情報と符合するかを対比し、これによりフィルタ芯１が原メーカーのフィルタ芯であるかを判断し、もし原メーカーのフィルタ芯であれば該フィルタの濾過機能を起動する。原メーカーのフィルタ芯でなければ、水処理濾過設備の使用を停止し、これにより模造品防止の目的を達成する。
【００１４】
ただしもしフィルタ芯１が原メーカーのフィルタ芯である時は、制御装置２１は再度ＩＣチップ１１内の総運転累計時間数１２を読み取って該フィルタ芯１が使用済みであるか或いは実際に使用された時間を判断し、これにより該フィルタ芯が使用期限内にあるか否かを決定する。もし使用期限を超えていれば、このフィルタを起動しない。もし使用期限内であれば、設備を起動して飲用の水を濾過させる。タイマー２５は同期に使用時間を計算し、並びに使用時間を制御装置２１に入力し、並びに不断にＩＣチップ１１内の総運転累計時間数１２を書き込み、フィルタ芯１の残った使用時間を更新する。
【００１５】
ゆえに、フィルタ芯１上のＩＣチップ１１に記載された情報は、終始最新の状況に保持され、フィルタ芯１を重複して取り外したり或いは再度取り付けても、更には同一部分に取り付けず同じメーカーの水処理濾過設備であれば、水処理濾過設備がフィルタ芯１上のチップに記載された最新の情報を読み取って、更に使用者に交換すべきか否かの情報を提供してその判断に供し、水処理濾過設備の濾過品質を最良の状態に保持でき、また使用者が使用期間を超えたフィルタ芯を使用するのを防止する。
【００１６】
図３及び図４に示されるように、本発明中、接点２４と制御装置２１の間の信号の伝送は有線（前述したとおり）或いは無線の伝送方式で達成される。そのうち、無線伝送方式によると、接点部分に感応カード３５が設けられ、該感応カード３５は特殊チップ３７にアンテナコイル３６を加えてなる。このほか、制御装置２１部分にカードリーダー２６が設けられる。動作時には、カードリーダー２６がＲＦ信号を感応カード３５に発射し、このとき、感応カード３５はアンテナコイル３６を通してこのＲＦ信号を受信し並びにエネルギー再生の原理により極めて微弱な電力を発生して感応カード３５上のチップを駆動する。このチップはこれに対応して一組の特殊なデジタルコードを生成してＲＦ信号でカードリーダー２６に送り返し、カードリーダー２６はアンテナで感応カード３５の信号を受け取り並びにそれをデコードしてカードリーダー２６のカードコードを認識し、全体のカード読み取りの過程で、感応カード３５とカードリーダー２６は接触する必要がなく、相互間でＲＦ信号伝送を行なうだけである。
【００１７】
以上の実施例は本発明の請求範囲を限定するものではなく、本発明に基づきなしうる細部の修飾或いは改変は、いずれも本発明の請求範囲に属するものとする。
【図面の簡単な説明】
【００１８】
【図１】本発明の構造表示図である。
【図２】本発明中のチップの構造表示図である。
【図３】本発明に無線伝送方式を応用した時の接点の構造表示図である。
【図４】本発明に無線伝送方式を応用した時の制御装置の構造表示図である。
【符号の説明】
【００１９】
１  フィルタ芯
１１  チップ
１２  総運転累計時間数
２１  制御装置
２２  表示装置
２３  検出装置
２４  接点
２５  タイマー
３１  識別コード
３５  感応カード
３７  特殊チップ
３６  アンテナコイル
２６  カードリーダー
【図１】
2005324157.tif 000003
【図２】
2005324157.tif 000004
【図３】
2005324157.tif 000005
【図４】
2005324157.tif 000006